(57)【特許請求の範囲】
【請求項１】
大便器本体と、前記大便器本体の周縁部に設けられ、洗浄水タンクと連通する大便器洗浄水通路と、前記大便器本体の底部に設けられた大便器排出通路と、前記大便器排出通路に設けられた大便器水封用エルボ部とを有する洋式大便器上に取り付けられた洋式小便器であって、
前記洋式小便器は、使用者が座る上部表面を有する小便器本体と、小便器洗浄水通路と、前記小便器本体の底部に設けられた小便排出通路と、前記小便排出通路に設けられた小便器水封用エルボ部とを有し、
前記洋式小便器は、前記洋式大便器上に回転可能に取り付けられており、前記洋式小便器が使用される場合に、前記洋式小便器は前記洋式大便器上に略水平に設置され、前記洋式大便器は使用される場合に、前記洋式小便器は前記洋式大便器上に略垂直に設置される
洋式小便器。
【請求項２】
小便が自動的に前記小便排出通路の入口に流れ、排出されるように、前記小便器本体の底部は傾斜状に形成される
請求項１に記載の洋式小便器。
【請求項３】
前記小便排出通路は、前記大便器排出通路、または、下水道に連通し、
前記小便器洗浄水通路は、前記洗浄水タンク、または、水道と連通する
請求項１または２に記載の洋式小便器。
【請求項４】
前記小便器洗浄水通路を開閉する制御スイッチが設けられる
請求項１、２、３のいずれかに記載の洋式小便器。
【請求項５】
前記小便器排出通路の断面積は、前記大便器排出通路の断面積より小さく、
前記小便器水封用エルボ部の容量は、前記大便器水封用エルボ部の容量より小さい
請求項１から４のいずれかに記載の洋式小便器。
【請求項６】
前記洋式小便器に、前記洋式小便器を前記洋式大便器上に水平に設置する際に、前記洋式小便器と前記洋式大便器との衝突を防止する衝突防止手段を設けられている
請求項１から５のいずれかに記載の洋式小便器。
【請求項７】
大便器本体と、前記大便器本体の周縁部に設けられ、洗浄水タンクと連通する大便器洗浄水通路と、前記大便器本体の底部に設けられた大便器排出通路と、前記大便器排出通路に設けられた大便器水封用エルボ部とを有する洋式大便器と、
前記洋式大便器の上に回転可能に取り付けられた洋式小便器と
を有する小便器付き洋式トイレであって、
前記洋式小便器は、使用者が座る上部表面を有する小便器本体と、前記小便器本体の周縁部に設けられた小便器洗浄水通路と、前記小便器本体の底部に設けられた小便排出通路と、前記小便排出通路に設けられた小便器水封用エルボ部とを有し、
前記洋式小便器が使用される場合に、前記洋式小便器は前記洋式大便器の上に略水平に設置され、前記洋式大便器は使用される場合に、前記洋式小便器は前記洋式大便器の上に略垂直に設置される
小便器付き洋式トイレ。
【発明の詳細な説明】
【０００１】
［発明の属する技術分野］
本発明は衛生装置に関わり、特に洋式小便器に係る。
【０００２】
［背景技術］
従来、洋式便器は水洗型や濯ぎ落し型等のものがある。使用中、いずれの洋式便器は大便処理方法で小便処理を行う。即ち、技術的特性から見ると、従来の水洗型や濯ぎ落し型洋式便器は何れも大便用のために設計されるものである。したがって、従来の水洗型や濯ぎ落し型洋式便器では、小便処理を行う場合その処理方法が非合理的であり水が浪費される問題がある。
【０００３】
従来、洋式便器に関する節水提案は主に洋式便器の水タンクにおける二段階或いは多段階の排水制限方式に関するものである。しかし、各段階における水タンク内の洗浄用水の最小排水量を洋式便器自体の技術的特性による洗浄用水の最小需要量より低くしてはならないため、最先端の節水型洋式便器でもその水用量が３リットル以上である。したがって、洋式便器水タンクにおける排水制限方式により前述した問題が解消されない。
【０００４】
また、小便専用の小便器もあるが、このような小便器は、たて型であるため、男性にしか適用せず、女性が利用できない。したがって、このような小便器は家庭トイレ用に適するものではない。
【０００５】
本発明の目的は、従来の洋式便器における小便処理方法が非合理的であり水が浪費される問題を回避でき、大便処理方法と異なる方法で小便処理を行う洋式小便器を提供することにある。
【０００６】
［発明の概要］
前記目的を達成するための本発明の洋式小便器は、大便器本体と、前記大便器本体の周縁部に設けられ、洗浄水タンクと連通する大便器洗浄水通路と、前記大便器本体の底部に設けられた大便器排出通路と、前記大便器排出通路に設けられた大便器水封用エルボ部とを有する洋式大便器上に取り付けられた洋式小便器であって、前記洋式小便器は、使用者が座る上部表面を有する小便器本体と、小便器洗浄水通路と、前記小便器本体の底部に設けられた小便排出通路と、前記小便排出通路に設けられた小便器水封用エルボ部とを有し、前記洋式小便器は、前記洋式大便器上に回転可能に取り付けられており、前記洋式小便器が使用される場合に、前記洋式小便器は前記洋式大便器上に略水平に設置され、前記洋式大便器は使用される場合に、前記洋式小便器は前記洋式大便器上に略垂直に設置される。
また、前記洋式小便器の材質は金属、または、プラスチック若しくはセラミック等の非金属であって良い。前記洋式小便器は洋式大便器に附設され洋式大便器と組合せて利用される。洋式大便器が洋式大便器本体を有し、該洋式大便器本体は洋式大便器洗浄水チャネルを介して、水タンク本体および送水排水制御機構からなる水タンク組立体と連通する。また、洋式大便器本体の下部に下水道と連通する洋式大便器排出チャネルが設けられる。即ち、従来の洋式便器を基に洋式小便器を附設する。洋式小便器は洋式大便器の上方に取り付けられ、洋式便器本体と連結される。
【０００７】
本発明では、洋式小便器は、横に置いたり回転で立ったりすることができるように、ナットで洋式便器本体に固定される洋式小便器軸接部と軸接され用洋式大便器便座パッドの上に取り付けられる。洋式小便器を横に置く場合洋式便器は小便利用状態、洋式小便器が立っている場合洋式便器は大便利用状態となる。
【０００８】
また、本発明では、洋式小便器排水チャネルの排出口が下水道または洋式大便器排出チャネルの排水部と直接連通する。洋式小便器を横に置く場合、洋式小便器のチャンバーの底部がその排出口に傾くため、洋式小便器内の液体が自動的に排出することができる。また、洋式小便器排出口の位置が洋式小便器排出チャネルの位置より高いし、洋式小便器排出チャネルの入り口が該チャネルの一番高いところに位置するため、小便処理する場合、小便液が自動的に排出することができ、洋式小便器内壁を洗浄するのに少ない水量で済む。更に、洋式小便器排出チャネルの断面積が洋式大便器排出チャネルのそれよりはるかに小さいため、水封用エルボ部も小さい。よって、水封用水が非常に少ない。このような洋式小便器を組み合わせることにより、小便処理に際しての節水効果が顕著である。
【０００９】
本発明によれば、小便器を洋式便器と組合せて使用することができるため、小便を合理的に処理し小便処理用水を大幅に節約することができる。小便器を利用する際、毎回の水用量は0.5リットル以下で済む。また、軸接の方式で洋式小便器を洋式便器本体と組み合わせるため、洋式大便利用状態と小便利用状態の切換えが簡単にできる。
【００１０】
［発明を実施するための最良の形態］
［第１の実施例］
図１乃至４において、洋式小便器は洋式大便器と組合せて利用される。洋式大便器が洋式大便器本体４を有し、該洋式大便器本体４は洋式大便器洗浄水チャネル５を介して、水タンク本体および送水排水制御機構からなる水タンク組立体１と連通する。また、洋式大便器本体４の下部に下水道と連通する洋式大便器排出チャネル３が設けられる。用洋式大便器は、本発明の洋式小便器を附設するために、洋式小便器を組合せるための利用部が予め設けられている。洋式小便器は洋式大便器の上方に取り付けられ、洋式大便器本体２と軸接される。洋式小便器７は前記水タンク組立体１と連通する洋式小便器洗浄水チャネル８を有する。該洋式小便器洗浄水チャネル８において制御スイッチ１８が設けられる。該制御スイッチとしては手動式制御バルブや赤外線制御バルブまたはスプリングバルブ等が用いられる。該制御スイッチ１８を用いて使用者が洗浄水量を調節したり所定の量に設定したりすることができる。また、洋式小便器７が、排水チャネル排出口１３を介して洋式大便器排水チャネル３の排水部と連通する洋式小便器排出チャネル１４を有する。洋式小便器７のチャンバーの底部１２は傾斜状に形成される。洋式小便器洗浄水チャネル８の一端が用洋式小便器７内部の上方に形成され、洋式小便器排出チャネル１４の一端が洋式小便器７内部底部の一端に形成される。なお、洋式小便器及び洋式大便器はそれぞれ便座パッド６及び９を有する。
【００１１】
本実施例では、図３に示すように、洋式小便器７は、横に置いたり回転で立ったりすることができるように、ナットで洋式便器本体に固定される洋式小便器軸接部１１と軸接され用洋式大便器便座パッド６上に取り付けられる。洋式小便器を横に置く場合洋式便器は小便利用状態、洋式小便器が立っている場合洋式便器は大便利用状態となる。
【００１２】
洋式小便器排出チャネル排出口１３が下水道または洋式大便器排出チャネルの排水部と直接連通する。洋式小便器を横に置く場合、洋式小便器のチャンバーの底部が排出口に傾くため、洋式小便器内の液体が自動的に排出することができる。また、洋式小便器排出口の位置が洋式小便器排出チャネル１０の位置より高いし、洋式小便器排出チャネルの入り口１０が該チャネルの一番高いところに位置するため、小便処理する場合、小便液が自動的に排出することができ、洋式小便器内壁を洗浄するのに少ない水量で済む。更に、洋式小便器排出チャネルの断面積が洋式大便器排出チャネルのそれよりはるかに小さいため、水封用エルボ部１５も小さい。よって、水封用水が非常に少ない。このような洋式小便器を組み合わせることにより、小便処理に際しての節水効果が顕著である。
【００１３】
洋式小便器の材質としては金属、例えば薄いステンレススチールシートが用いられる。これにより、軽くて高強度の洋式小便器が得られる。
【００１４】
洋式小便器を用いる洋式便器は、小便を合理的に処理し、小便処理用水を大幅に節約することができる。また、軸接の方式で洋式小便器を洋式便器本体と組み合わせるため、洋式大便利用状態と小便利用状態の切換えが簡単にできる。
【００１５】
［第２の実施例］
本実施例は基本的に第１の実施例と同様であるが、相違点がある。即ち、図５及び図６に示すように、本実施例の洋式小便器は従来の洋式大便器を改造した上それと組合せて利用するものである。ここで、洋式小便器洗浄水チャネル８の排出口と洋式小便器排出チャネルの排出口１３の取り付け方式が異なる。
【００１６】
洋式小便器７は、ナットで洋式便器本体に固定される洋式小便器軸接部１１と軸接され用洋式大便器上方に取り付けられる。洋式小便器洗浄水チャネル８が水道１７と連通する。該洋式小便器洗浄水チャネル８において制御スイッチ１８が設けられる。該制御スイッチとしては手動式制御バルブまたはスプリングバルブが用いられる。洋式小便器排出チャネル排出口１３が下水道１６または風呂釜の排水部と直接連通される。このように、洋式小便器洗浄水チャネル及び洋式小便器排出チャネルの排出口は洋式大便器の送水排水系とは別に設けられるため、従来の用洋式大便器を改造し洋式小便器を附設することが容易に出来る。
【００１７】
洋式小便器のチャンバーの底部がその排出口に傾くため、洋式小便器内の液体が自動的に排出することができる。また、洋式小便器洗浄水チャネル８の排出口は傾斜状の洋式小便器チャンバー上部の周縁に配列され、洋式小便器排出チャネルの入り口１０がチャネルの一番高いところに位置するため、小便処理する場合、小便液が自動的に排出することができ、洋式小便器内壁を洗浄するのに少ない水量で済む。更に、洋式小便器排出チャネルの断面積が洋式大便器排出チャネルのそれよりはるかに小さいため、水封用エルボ部１５も小さい。よって、水封用水が非常に少ない。このような洋式小便器を組み合わせることにより、小便処理に際しての節水効果が顕著である。
【００１８】
［第３の実施例］
本実施例は基本的に第１の実施例と同様であるが、洋式小便器の材質をセラミックとする点と、第１の実施例の洋式小便器構造を基に緩衝器１９を附設する点で第１の実施例と相違する。緩衝器１９を設けることにより、洋式小便器を横に置く際洋式大便器とぶつかって大きい騒音を出したり洋式小便器を破損させたりすることが避けられる。
【００１９】
図７及び図８に示すように、該緩衝器１９は洋式小便器の側壁に取り付けられる。水タンク１と軸接部１１の間にて固定ロッド１９４を設け、該固定ロッド１９４にスリーブ１９２を連接し、該スリーブ１９２がスプリング１９３を有し、該スプリング１９３がロッド体１９１と連接する。前記ロッド体１９１はスリーブ１９２から伸出しその端部が洋式小便器の側壁に軸接される。洋式小便器を横に置く際、緩衝器１９は洋式小便器の衝撃を緩衝することができるため、洋式大便器とぶつかって大きい騒音を出したり洋式小便器を破損させたりすることが避けられる。
【図面の簡単な説明】
【図１】  本発明による洋式便器の構造を示す図である。
【図２】  本発明による洋式便器の側面図である。
【図３】  本発明による洋式便器の大便利用状態を示す図である。
【図４】  本発明による洋式便器の小便利用状態を示す図である。
【図５】  本発明の第２の実施態様の構造を示す図である。
【図６】  本発明の第２の実施態様による洋式便器の小便利用状態を示す図である。
【図７】  本発明の第３の実施態様の構造を示す図である。
【図８】  本発明の第３の実施例の緩衝器の構造を示す図である。
【符号の説明】
１    水タンク組立体
２    洋式大便器本体
３    洋式大便器の排出チャネル
４    洋式大便器本体
５    洋式大便器の洗浄水チャネル
６    洋式大便器の便座パッド
７    洋式小便器
８    洋式小便器洗浄水チャネル
９    洋式小便器便座パッド
１０  洋式小便器排出チャネル
１１  洋式小便器軸接部
１２  洋式小便器チャンバー底部
１３  洋式小便器排出チャネルの排出口
１４  洋式小便器排出チャネル
１５  水封用エルボ部
１６  下水道
１７  水道
１８  制御スイッチ
１９  緩衝器
【図１】
0003737434.tif 000002
【図２】
0003737434.tif 000003
【図３】
0003737434.tif 000004
【図４】
0003737434.tif 000005
【図５】
0003737434.tif 000006
【図６】
0003737434.tif 000007
【図７】
0003737434.tif 000008
【図８】
0003737434.tif 000009